(57)【要約】【課題】電子機器の利用者は、通信事業者から通信サービスを複数受けようとするとき、複数台の宅内機器を設置しなければならないという課題があった。【解決手段】システムは、宅内装置とサービス提供装置が接続され、前記宅内装置は、電子機器とに接続され、通信サービスを前記電子機器に提供する為の所定の操作が実施されたとき、前記通信サービスに対応する所定の識別情報を前記サービス提供装置に送信する制御部を備え、前記サービス提供装置は、起動信号が入力されると、前記電子機器に異なる通信サービスを提供する為の所定の通信処理を行う複数の提供機能部と、前記宅内機器より受信した識別情報に対応する所定の前記提供機能部に前記起動信号を出力する起動部と、を備える。宅内装置の中継部は、前記通信処理により電子機器とサービス提供装置間を流れる通信サービスに係るデータを前記通信サービスに対応する通信形式で中継する。【選択図】      図９
2016181854.tif 000002
【特許請求の範囲】
【請求項１】
電子機器とサービス提供装置に接続され、
通信サービスを前記電子機器に提供する為の所定の操作が実施されたとき、前記通信サービスに対応する所定の識別情報を前記サービス提供装置に送信する制御部と、
前記送信後に前記サービス提供装置と前記電子機器との間を流れる前記通信サービスに係るデータを、前記通信サービスに対応する所定の通信形式で中継する中継部と、を備える、
ことを特徴とする宅内装置。
【請求項２】
異なる通信サービスに対応する所定のカードが挿入される複数の挿入部と、
前記挿入部に挿入された前記カード各々から前記通信サービスに係る識別情報を取得する取得部と、を備え、
前記制御部は、前記カードが前記挿入部に挿入されたとき、前記取得部が取得した前記識別情報各々を前記サービス提供装置に送信する、
を備えることを特徴とする請求項１に記載の宅内装置。
【請求項３】
前記制御部は、前記取得部が取得した前記識別情報各々を所定の１メッセージに相乗りさせて前記サービス提供装置に送信する、
ことを特徴とする請求項２に記載の宅内装置。
【請求項４】
宅内機器と接続された装置であって、
起動信号が入力されると、前記宅内機器に接続された電子機器に異なる通信サービスを提供する為の所定の通信処理を行う複数の提供機能部と、
前記宅内機器より受信した識別情報に対応する所定の前記提供機能部に対し、前記起動信号を出力する起動部と、を備える、
ことを特徴とするサービス提供装置。
【請求項５】
前記所定の通信処理は、前記通信サービスに係る所定の規格の接続手順に準拠した所定のデータを前記電子機器と送受信して前記電子機器を前記所定の規格に対応するネットワークに接続し、前記ネットワークと前記電子機器間を流れる前記通信サービスに係るデータを中継する処理である、
ことを特徴とする請求項４に記載のサービス提供装置。
【請求項６】
前記起動部は、前記識別情報に対応する所定の設定情報を前記起動信号に含めて出力し、
前記提供機能部は、前記起動信号の前記設定情報に基づいて前記所定の通信処理を行う、
ことを特徴とする請求項４乃至５のいずれか１項に記載のサービス提供装置。
【請求項７】
ポータルサイトを備えた装置であって、
前記ポータルサイトのウェブページに前記設定情報を書き込む設定部を備える、
ことを特徴とする請求項６に記載のサービス提供装置。
【請求項８】
前記起動部は、前記宅内機器より受信したメッセージから抽出した前記識別情報毎に、対応する前記提供機能部に前記起動信号を出力する、
ことを特徴とする請求項４乃至７のいずれか１項に記載のサービス提供装置。
【請求項９】
宅内装置とサービス提供装置が接続され、
前記宅内装置は、請求項１乃至３のいずれか１項に記載の宅内装置であり、
前記サービス提供装置は、請求項４乃至８のいずれか１項に記載のサービス提供装置である、
ことを特徴とするシステム。
【請求項１０】
電子機器と接続する宅内機器が、通信サービスを前記電子機器に提供する為の所定の操作を実施されたとき、前記通信サービスに対応する所定の識別情報を、接続するサービス提供装置に送信する制御ステップと、
起動信号が入力されると、前記電子機器に異なる通信サービスを提供する為の所定の通信処理を行う提供機能部を複数備えた前記サービス提供装置が、前記宅内機器より受信した識別情報に対応する所定の前記提供機能部に対して前記起動信号を出力する起動ステップと、
前記所定の通信処理により前記サービス提供装置と前記電子機器との間を流れる前記通信サービスに係るデータを、前記宅内機器が前記通信サービスに対応する所定の通信形式で中継する中継ステップと、を有する、
ことを特徴とするサービス提供方法。
【発明の詳細な説明】
【技術分野】
【０００１】
本発明は、宅内装置、サービス提供装置、システム、サービス提供方法に関し、特に、通信サービスを提供する宅内装置、サービス提供装置、システム、サービス提供方法に関する。
【背景技術】
【０００２】
一般的に、サービスを提供するシステムが知られている。サービスを提供するシステムは、以下の特許文献１に開示されている。
【０００３】
特許文献１のシステムは、電子機器９０と、機器管理センタ９１と、サービスサイト９２と、を備える。電子機器９０、機器管理センタ９１、及びサービスサイト９２は、ネットワーク９３を介して互いに接続される。サービスサイト９２は、サービスを提供するサイトである。
【０００４】
電子機器９０は、利用者の指紋やパスワードを機器管理センタ９１に送信し、利用者の認証を求める。機器管理センタ９１は、利用者の認証を行い、正しく認証された場合、電子機器９０とサービスサイト９２を接続する。サービスサイト９２は、電子機器９０に、バージョンアップしたプログラムをダウンロードする。電子機器９０の利用者は、電子機器９０のプログラムに関する自動的バージョンアップサービスを受けることができる。
【０００５】
上述の構成や動作の通り、特許文献１のシステムは、電子機器９０の利用者にサービスを提供することができる。
【先行技術文献】
【特許文献】
【０００６】
【特許文献１】特開２００３−１６２５９６号公報
【発明の概要】
【発明が解決しようとする課題】
【０００７】
しかし、特許文献１のシステムでは、電子機器の利用者は、複数の通信サービスを受ける場合、複数台の宅内機器を自宅に設置しなければならないという課題があった。例えば、特許文献１のシステムでは、電子機器の利用者は、無線ＬＡＮ通信サービスやモバイル通信サービスを受ける場合、無線ＬＡＮアクセスポイントやフェムトセル小型基地局といった、複数台（２台）の宅内機器を自宅に設置しなければならなかった。特許文献１のシステムは、システム内部のサイトに電子機器を接続するだけで、一般的な宅内装置の機能（システム外部のネットワークに電子機器を接続する機能や該ネットワークと電子機器間で通信されるデータを無線等で中継する機能）を有していないからである。
【０００８】
本発明は、上記課題を解決する宅内装置、サービス提供装置、システム、接続方法を提供することを目的とする。なお、上述のＬＡＮは、Ｌｏｃａｌ  Ａｒｅａ  Ｎｅｔｗｏｒｋの略称である。
【課題を解決するための手段】
【０００９】
上記目的を達成するために、本発明の宅内装置は、電子機器とサービス提供装置に接続され、通信サービスを前記電子機器に提供する為の所定の操作が実施されたとき、前記通信サービスに対応する所定の識別情報を前記サービス提供装置に送信する制御部と、前記送信後に前記サービス提供装置と前記電子機器との間を流れる前記通信サービスに係るデータを、前記通信サービスに対応する所定の通信形式で中継する中継部と、を備える。
【００１０】
上記目的を達成するために、本発明のサービス提供装置は、宅内機器と接続された装置であって、起動信号が入力されると、前記宅内機器に接続された電子機器に異なる通信サービスを提供する為の所定の通信処理を行う複数の提供機能部と、前記宅内機器より受信した識別情報に対応する所定の前記提供機能部に対し、前記起動信号を出力する起動部と、を備える。
【００１１】
上記目的を達成するために、本発明のシステムは、宅内装置とサービス提供装置が接続され、前記宅内装置は、電子機器とサービス提供装置に接続され、通信サービスを前記電子機器に提供する為の所定の操作が実施されたとき、前記通信サービスに対応する所定の識別情報を前記サービス提供装置に送信する制御部と、前記送信後に前記サービス提供装置と前記電子機器との間を流れる前記通信サービスに係るデータを、前記通信サービスに対応する所定の通信形式で中継する中継部と、を備える宅内装置であり、前記サービス提供装置は、宅内機器と接続された装置であって、起動信号が入力されると、前記宅内機器に接続された電子機器に異なる通信サービスを提供する為の所定の通信処理を行う複数の提供機能部と、前記宅内機器より受信した識別情報に対応する所定の前記提供機能部に対し、前記起動信号を出力する起動部と、を備えるサービス提供装置である。
【００１２】
上記目的を達成するために、本発明のサービス提供方法は、電子機器と接続する宅内機器が、通信サービスを前記電子機器に提供する為の所定の操作が実施されたとき、前記通信サービスに対応する所定の識別情報を、接続するサービス提供装置に送信する制御ステップと、起動信号が入力されると、前記電子機器に異なる通信サービスを提供する為の所定の通信処理を行う提供機能部を複数備えた前記サービス提供装置が、前記宅内機器より受信した識別情報に対応する所定の前記提供機能部に対して前記起動信号を出力する起動ステップと、前記所定の通信処理により前記サービス提供装置と前記電子機器との間を流れる前記通信サービスに係るデータを、前記宅内機器が前記通信サービスに対応する所定の通信形式で中継する中継ステップと、を有する。
【発明の効果】
【００１３】
本発明によれば、電子機器の利用者は、複数の通信サービスを受けるとき、宅内機器を複数台、自宅に設置する必要がなくなる。電子機器の利用者は、１台の宅内機器を設置するだけで、複数の通信サービスを受けることができる。
【図面の簡単な説明】
【００１４】
【図１】本発明の第１の実施の形態におけるシステムの構成例を示す図である。
【図２】本発明の第１の実施の形態におけるシステムに備わる宅内装置の構成例を示す図である。
【図３】本発明の第１の実施の形態におけるシステムが使用するＴＲ（Ｔｅｃｈｎｉｃａｌ  Ｒｅｐｏｒｔ）−０６９  Ｉｎｆｏｒｍ  Ｍｅｓｓａｇｅについて説明する為の図である。
【図４】本発明の第１の実施の形態におけるシステムに備わるサービス提供装置の構成例を示す図である。
【図５】本発明の第１の実施の形態におけるシステムに設定される加入者情報群の一例を示す図である。
【図６】本発明の第１の実施の形態におけるシステムに備わる宅内機器管理装置の構成例を示す図である。
【図７】本発明の第１の実施の形態におけるシステムの動作を説明する為の図である。
【図８】本発明の第１の実施の形態におけるシステムの動作（設定変更する場合の動作）を説明する為の図である。
【図９】本発明の第２の実施の形態におけるシステムの構成例を示す図である。
【発明を実施するための形態】
【００１５】
次に本発明の実施形態について、図面を参照して詳細に説明する。なお、ＬＡＮは、Ｌｏｃａｌ  Ａｒｅａ  Ｎｅｔｗｏｒｋの略称である。
【００１６】
≪第１の実施の形態≫
[概要]
本発明の第１の実施の形態におけるシステムでは、複数台の一般的な宅内機器の機能がネットワーク上の装置に集約（実装）される。実装された各機能は、本実施形態のシステムに備わる１台の宅内機器により起動される。起動された各機能は、一般的な宅内機器と同様の処理を行い、それぞれ異なる通信サービス（例えば、無線ＬＡＮ通信サービスやモバイル通信サービス）を電子機器に提供する。
【００１７】
電子機器の利用者は、１台の宅内機器のみ設定すれば、複数の通信サービス（無線ＬＡＮ通信サービス等）を受けることができ、宅内機器を複数台設置する必要がなくなる。なお、一般的な宅内機器の機能のうち、無線機能だけは上述の１台の宅内機器に残される（実装される）。１台の宅内機器が、一般的な宅内機器と同様、無線で電子機器と通信を行えるようにする為である。以下に本実施形態のシステムの構成や機能、動作について説明する。
【００１８】
［構成の説明］
始めに、本発明の第１の実施の形態におけるシステムの構成と機能について説明する。図１は、本発明の第１の実施の形態におけるシステムの構成例を示す図である。
【００１９】
（１）本発明の第１の実施の形態におけるシステムの構成
本実施形態のシステムは、図１に示されるように、宅内装置１と、サービス提供装置２と、情報管理装置３と、宅内機器管理装置４と、ネットワーク５と、インターネット６と、３Ｇ（３ｒｄ  Ｇｅｎｅｒａｔｉｏｎ）ネットワーク７と、を備える。さらに、本実施形態のシステムは、ＰＣ（Ｐｅｒｓｏｎａｌ  Ｃｏｍｐｕｔｅｒ）８や携帯電話９といった電子機器を備える。
【００２０】
宅内装置１は、有線回線を介してサービス提供装置２に接続される。サービス提供装置２は、有線回線を介して３Ｇネットワーク７及びインターネット６に接続される。サービス提供装置２、情報管理装置３、及び宅内機器管理装置４は、ネットワーク５を構成する装置であり、互いに有線回線を介して接続される。
【００２１】
宅内装置１には、サービスモジュール１０１、１０２、１０３が実装される。実装された各サービスモジュール１０１、１０２、１０３は、サービス提供装置２と有線回線を介して接続される。
【００２２】
（２）サービスモジュール１０１、１０２、１０３について
サービスモジュール１０１、１０２、１０３は、電子機器であるＰＣ８や携帯電話９が各種通信サービスを受ける為の拡張カードである。
【００２３】
電子機器（ＰＣ８や携帯電話９）の利用者は、通信サービスを受けたいとき、当該通信サービスを提供する各通信事業者からサービスモジュール１０１、１０２、１０３を購入し、宅内機器１に実装する。
【００２４】
以下、サービスモジュール１０１は、無線ＬＡＮ通信サービスを受ける為のカードであり、無線ＬＡＮ通信サービスを提供する通信事業者によって販売されるカードであるものとする。同様に、サービスモジュール１０２は、モバイル通信サービスを受ける為のカードであり、モバイル通信サービスを提供する通信事業者によって販売されるカードであるものとする。サービスモジュール１０３は、インターネットサービスを受ける為のカードであり、インターネットサービスを提供する通信事業者によって販売されているカードであるものとする。
【００２５】
次に、サービスモジュール１０１、１０２、１０３の機能について説明する。
【００２６】
（２−１）サービスモジュール１０１、１０２、１０３の機能（記憶機能）
サービスモジュール１０１、１０２、１０３のメモリには、予め当該サービスモジュールを識別する為の機器情報と、当該サービスモジュールのＭＡＣ（Ｍｅｄｉａ  Ａｃｃｅｓｓ  Ｃｏｎｔｒｏｌ）アドレスと、が製造者によって書き込まれている。サービスモジュール１０１、１０２、１０３は、上述の機器情報やＭＡＣアドレスを記憶する。上述の機器情報は、当該サービスモジュールの製造番号、製造者名、製造者番号、製品クラスを含む情報である。
【００２７】
（２−２）サービスモジュール１０１、１０２、１０３のデータ中継機能
さらに、サービスモジュール１０１、１０２、１０３は、サービス提供装置２と電子機器（ＰＣ８や携帯電話９）間で送受信される通信サービスのパケットデータを、当該通信サービスの通信方式にて中継する機能を備える。具体的には、以下の（２−２−１）〜（２−２−３）の通りである。
【００２８】
（２−２−１）サービスモジュール１０１のデータ中継機能
まず、サービスモジュール１０１は、無線ＬＡＮアクセスポイントの無線機能が備わり、無線機能によりパケットデータを中継する。すなわち、サービスモジュール１０１は、サービス提供装置２から入力された自分宛ての無線ＬＡＮ通信サービスのパケットデータを、ＩＥＥＥ  ８０２．１１に準拠した無線信号に変換し、自身に備わる無線ＬＡＮアンテナからＰＣ８に送信する。ＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓの略称である。
【００２９】
一方、サービスモジュール１０１は、無線ＬＡＮアンテナによって受信した（ＰＣ８からの）無線信号をＩＥＥＥ  ８０２．１１に準拠して無線ＬＡＮ通信サービスのパケットデータに変換し、変換したパケットデータをサービス提供装置２に出力する。その際、サービスモジュール１０１は、出力するパケットデータに、自身が記憶するＭＡＣアドレスを含めてから出力する。
【００３０】
上述のように、サービスモジュール１０１は、ＰＣ８と無線ＬＡＮ通信を行って無線ＬＡＮ通信サービスのパケットデータを中継する。サービスモジュール１０１は、無線ＬＡＮ通信サービスに対応するカードである。
【００３１】
なお、サービスモジュール１０１は、以下の条件を満たしたときに、自分宛ての無線ＬＡＮ通信サービスのデータと判別する。
【００３２】
（条件）入力されたデータパケットに含まれるＭＡＣアドレスと、自身が記憶するＭＡＣアドレスと、が等しいとき。
【００３３】
（２−２−２）サービスモジュール１０２のデータ中継機能
同様に、サービスモジュール１０２は、フェムトセル小型基地局の無線機能が備わり、当該無線機能によりパケットデータを中継する。すなわち、サービスモジュール１０２は、サービス提供装置２から入力された自分宛てのモバイル通信サービスのパケットデータを、３ＧＰＰに準拠した無線信号に変換し、自身に備わるフェムトセル小型基地局のアンテナから携帯電話９に送信する。３ＧＰＰは、３ｒｄ  Ｇｅｎｅｒａｔｉｏｎ  Ｐａｒｔｎｅｒｓｈｉｐ  Ｐｒｏｊｅｃｔの略称である。フェムトセル小型基地局のアンテナは、以下「フェムトセルアンテナ」という。
【００３４】
また、サービスモジュール１０２は、フェムトセルアンテナによって受信した（携帯電話９からの）無線信号を、３ＧＰＰに準拠してモバイル通信サービスのパケットデータに変換し、変換したパケットデータをサービス提供装置２に出力する。その際、サービスモジュール１０２は、出力するパケットデータに、自身が記憶するＭＡＣアドレスを含めてから出力する。
【００３５】
上述のように、サービスモジュール１０２は、携帯電話９とモバイル通信を行ってモバイル通信サービスのパケットデータを中継する。サービスモジュール１０１は、モバイル通信サービスに対応するカードである。なお、サービスモジュール１０２は、上述の（条件）を満たしたときに、自分宛てのモバイル通信サービスのデータと判別する。
【００３６】
（２−２−３）サービスモジュール１０３におけるデータ中継機能
サービスモジュール１０３は、宅内装置１から入力された自分宛てのパケットデータを、そのままＰＣ８に送信する。サービスモジュール１０３は、ＰＣ８から入力されたパケットデータを、そのままサービス提供装置２に送信する。なお、サービスモジュール１０３は、上述の（条件）を満たしたときに、自分宛てのパケットデータと判別する。サービスモジュール１０３は、インターネットサービスに対応するカードである。
【００３７】
（３）宅内装置１について
宅内機器１は、挿入されたサービスモジュールに応じて、サービス提供装置２に実装されている宅内機器の機能を起動させる装置である。以下に、宅内機器１の構成や動作を説明する。
【００３８】
（３−１）宅内装置１の構成
図２は、本発明の第１の実施の形態におけるシステムに備わる宅内装置の構成例を示す図である。
【００３９】
宅内装置１は、挿入部１０＿１、１０＿２、１０＿３と、取得部１１と、送信部１２と、を備える。挿入部１０＿１、１０＿２、１０＿３は、サービスモジュール１０１、１０２、１０３が挿入される一般的なカードスロットである。
【００４０】
（３−２）宅内装置１の機能（抽出機能）
宅内装置１の取得部１１は、挿入されたサービスモジュール１０１、１０２、１０３のメモリから機器情報を読み出す。
【００４１】
（３−３）宅内装置１の機能（メッセージ送信機能）
宅内装置１の送信部１２は、読み出した機器情報を、全てＴＲ−０６９（Ｔｅｃｎｉｃａｌ  Ｒｅｐｏｒｔ  ０６９）  Ｉｎｆｏｒｍ  Ｍｅｓｓａｇｅに含めて宅内機器管理装置４に送信する。サービス提供装置２に実装されている各宅内機器の機能を（宅内機器管理装置４を介して）起動させる為である。
【００４２】
ここで、ＴＲ−０６９  Ｉｎｆｏｒｍ  Ｍｅｓｓａｇｅについて補足する。図３は、本実施形態のシステムが使用するＴＲ−０６９  Ｉｎｆｏｒｍ  Ｍｅｓｓａｇｅについて説明する為の図である。
【００４３】
ＴＲ−０６９  Ｉｎｆｏｒｍ  Ｍｅｓｓａｇｅは、遠隔制御を行う為のメッセージであり、一般的に、機器情報を書き込むＤｅｖｉｃｅＩＤＳｔｒｕｃｔパラメータを備える。本実施形態のシステムが使用するＴＲ−０６９  Ｉｎｆｏｒｍ  Ｍｅｓｓａｇｅは、図３に示されるように、サービスモジュール１０１、１０２、１０３の機器情報を書き込むＤｅｖｉｃｅＩＤＳｔｒｕｃｔパラメータを備える。機器情報は、上述の（２−１）で説明した通り、サービスモジュールの製造者名、製造者番号、製品クラス、製造番号である。
【００４４】
宅内装置１の送信部１２は、取得部１１が読み出した機器情報を全て、各ＤｅｖｉｃｅＩＤＳｔｒｕｃｔのＭａｎｕｆａｃｔｕｒｅ（製造者名）、ＯＵＩ（製造者番号）、ＰｒｏｄｕｃｔＣｌａｓｓ（製品クラス）、ＳｅｒｉａｌＮｕｍｂｅｒ（製造者番号）に書き込む。
【００４５】
（４）サービス提供装置２について
（４−１）サービス提供装置２の構成
図４は、本発明の第１の実施の形態におけるシステムに備わるサービス提供装置２の構成例を示す図である。
【００４６】
サービス提供装置２には、一般的な宅内機器の機能（無線機能以外の機能）がソフトウエアとして集約される。その為に、サービス提供装置２は、図４に示されるように、振分部２０と、無線ＬＡＮ通信サービス提供機能部２１と、モバイル通信サービス提供機能部２２と、インターネットサービス提供機能部２３と、を備える。
【００４７】
無線ＬＡＮ通信サービス提供機能部２１、モバイル通信サービス提供機能部２２、及びインターネットサービス提供機能部２３には、電子機器に通信サービスを提供する為の一般的な宅内機器の機能（無線機能以外の機能）がソフトウエアとして備わる。
【００４８】
上述の各ソフトウエアの説明も含め、以下、サービス提供装置２の各部位の機能について説明する。なお、無線ＬＡＮ通信サービス提供機能部２１、モバイル通信サービス提供機能部２２、及びインターネットサービス提供機能部２３は、以下、「通信サービス提供機能部２１、２２、２３」という。
【００４９】
（４−２）サービス提供装置２の機能
（４−２−１）メッセージ転送機能
サービス提供装置２の振分部２０は、宅内装置１から受信したＴＲ−０６９  Ｉｎｆｏｒｍ  Ｍｅｓｓａｇｅを宅内機器管理装置４に送信する。
【００５０】
（４−２−２）ソフトウエア起動機能
各通信サービス提供機能部２１、２２、２３は、宅内機器管理装置４から、起動を通知するパケットデータ（以下、「起動通知パケット」という）が入力されると、自身に備わるソフトウエアを起動する。但し、通信サービス提供機能部２１、２２、２３は、受信した起動通知パケットから抽出した設定情報及びサービスモジュール１０１、１０２、１０３のＭＡＣアドレスをソフトウエアに設定した上で起動する。ソフトウエアが、各サービスモジュール１０１、１０２、１０３とパケットデータを送受信できるようにする為である。
【００５１】
（４−２−３）通信サービス提供機能部２１に備わるソフトウエアの機能
（４−２−３−１）機能概要
通信サービス提供機能部２１には、無線ＬＡＮアクセスポイントの機能（無線機能以外の機能）が実装されたソフトウエア（以下、「無線ＬＡＮ通信サービス用ソフトウエア」という）が備わる。
【００５２】
（４−２−３−２）機能詳細
すなわち、無線ＬＡＮ通信サービス用ソフトウエアは、起動すると、設定された設定情報（暗号化方式や暗号化キー）を基にＩＥＥＥ  ８０２．１１に規定される接続手順を行い、電子機器（ＰＣ８）をインターネット６に接続させる。
【００５３】
なお、無線ＬＡＮ通信サービス用ソフトウエアは、接続手順を行う際、ＩＥＥＥ  ８０２．１１に規定される所定のメッセージを電子機器（ＰＣ８）と送受信する。無線ＬＡＮ通信サービス用ソフトウエアは、電子機器宛てにメッセージ（例えば、Ｐｒｏｂｅ  ｒｅｓｐｏｎｓｅメッセージ等）を送信するときには、そのメッセージにサービスモジュール１０１のＭＡＣアドレスを含めて送信する。サービスモジュール１０１を介して電気機器（ＰＣ８）にメッセージを届ける為である。
【００５４】
さらに、無線ＬＡＮ通信サービス用ソフトウエアは、電子機器（ＰＣ８）をインターネット６に接続させた後、インターネット６と電子機器（ＰＣ８）間を流れる無線ＬＡＮ通信のデータを中継する。
【００５５】
具体的には、無線ＬＡＮ通信サービス用ソフトウエアは、インターネット６から通信サービス提供機能部２１に入力されるパケットデータを振分部２０に出力する。パケットデータを振分部２０に出力する際、無線ＬＡＮ通信サービス用ソフトウエアは、出力するパケットデータにサービスモジュール１０１のＭＡＣアドレスを含めて出力する。パケットデータがサービスモジュール１０１を介して電気機器（ＰＣ８）に届くようにする為である。また、無線ＬＡＮ通信サービス用ソフトウエアは、振分部２０から通信サービス提供機能部２１に入力されるパケットデータをインターネット６に送信する。
【００５６】
（４−２−４）モバイル通信サービス用ソフトウエアについて
（４−２−４−１）機能概要
通信サービス提供機能部２２には、フェムトセル小型基地局の機能（無線機能以外の機能）が実装されたソフトウエア（以下、「モバイル通信サービス用ソフトウエア」という）が備わる。
【００５７】
（４−２−４−２）機能詳細
すなわち、モバイル通信サービス用ソフトウエアは、起動すると、３ＧＰＰに規定される接続手順（Ｈｏｍｅ  ＮｏｄｅＢ  Ｒｅｇｉｓｔｒａｔｉｏｎ）を行い、携帯電話９を３Ｇネットワーク７に接続させる。
【００５８】
なお、モバイル通信サービス用ソフトウエアは、接続手順を行う際、３ＧＰＰに規定される所定のメッセージを電子機器（携帯電話９）と送受信する。モバイル通信サービス用ソフトウエアは、電子機器宛てにメッセージ（例えば、ＲＲＣ  Ｃｏｎｎｅｃｔｉｏｎ  Ｓｅｔｕｐ等）を送信するときには、そのメッセージにサービスモジュール１０２のＭＡＣアドレスを含めて送信する。サービスモジュール１０２を介して電気機器（携帯電話９）にメッセージを届ける為である。上述のＲＲＣは、Ｒａｄｉｏ  Ｒｅｓｏｕｒｃｅ  Ｃｏｎｔｒｏｌの略称である。
【００５９】
さらに、モバイル通信サービス用ソフトウエアは、電子機器（携帯電話９）を３Ｇネットワーク７に接続させた後、３Ｇネットワーク７と電子機器（携帯電話９）間を流れるモバイル通信のデータを中継する。
【００６０】
具体的には、モバイル通信サービス用ソフトウエアは、３Ｇネットワーク７から通信サービス提供機能部２２に入力されるパケットデータを振分部２０に出力する。パケットデータを振分部２０に出力する際、モバイル通信サービス用ソフトウエアは、出力するパケットデータにサービスモジュール１０２のＭＡＣアドレスを含めて出力する。パケットデータがサービスモジュール１０２を介して電気機器（携帯電話９）に届くようにする為である。また、無線ＬＡＮ通信サービス用ソフトウエアは、振分部２０から通信サービス提供機能部２２に入力されるパケットデータを３Ｇネットワーク７に送信する。
【００６１】
（４−２−５）インターネットサービス用ソフトウエアについて
（４−２−５−１）機能概要
通信サービス提供機能部２３には、一般的なルータのウイルスチェック機能が実装されたソフトウエア（以下、「インターネットサービス用ソフトウエア」という）が備わる。
【００６２】
（４−２−５−２）機能詳細
インターネットサービス用ソフトウエアは、起動すると、電子機器（ＰＣ８）にインターネットサービスを提供する為の処理を行う。
【００６３】
具体的には、インターネットサービス用ソフトウエアは、起動すると、設定された設定情報にウイルスチェックの有を示す情報が含まれているかを判別する。
【００６４】
インターネットサービス用ソフトウエアは、設定情報にウイルスチェック有を示す情報が含まれている場合には、インターネット６から通信サービス提供機能部２３に入力されたパケットデータに対してウイルスチェックを行う。ウイルスが検出されないときには、インターネットサービス用ソフトウエアは、インターネット６から入力されたパケットデータを振分部２０に出力する。そのとき、インターネットサービス用ソフトウエアは、出力するパケットデータにサービスモジュール１０３のＭＡＣアドレスを含める。サービスモジュール１０３を介して電気機器（ＰＣ８）にパケットデータを届ける為である。インターネットサービス用ソフトウエアは、ウイルスチェックの結果、ウイルスが検出されたときには、ウイルスが検出されたパケットデータを破棄する。
【００６５】
なお、設定情報にウイルスチェック無を示す情報が含まれている場合には、ウイルスチェックを行わず、インターネットサービス用ソフトウエアは、ウイルスが検出されないときと同じ動作を行う。
【００６６】
また、インターネットサービス用ソフトウエアは、振分部２０より通信サービス提供機能部２３に入力され、インターネット６に出力するパケットデータに対してもウイルスチェックを行ってもよい。その場合、インターネットサービス用ソフトウエアは、ウイルスが検出されないときに、振分部２０から入力されたパケットデータをインターネット６に出力する。ウイルスが検出された場合には、そのパケットデータを破棄する。
【００６７】
（４−２−６）振分機能
振分部２０は、宅内装置１から受信した通信サービスのパケットデータを、当該通信サービスに対応する通信サービス提供機能部２１、２２、２３に振り分ける。
【００６８】
具体的には、振分部２０は、宅内装置１から受信したパケットデータにサービスモジュール１０１のＭＡＣアドレスが含まれる場合には、受信したパケットデータを通信サービス提供機能部２１に出力する。振分部２０は、受信したパケットデータにサービスモジュール１０２のＭＡＣアドレスが含まれる場合には、受信したパケットデータを通信サービス提供機能部２２に出力する。振分部２０は、受信したパケットデータにサービスモジュール１０３のＭＡＣアドレスが含まれる場合には、受信したパケットデータを通信サービス提供機能部２３に出力する。振分部２０は、宅内機器管理装置４よりサービスモジュール１０１、１０２、１０３のＭＡＣアドレスが入力されると、入力された各ＭＡＣアドレスを記憶する。
【００６９】
振分部２０は、各ソフトウエアからパケットデータが入力されると、入力されたパケットデータを、接続する宅内装置１に送信する。
【００７０】
（４−２−７）ポータルサイト運用機能
サービス提供装置２は、一般的なポータルサイトを備える。具体的には、サービス提供装置２は、ＰＣ８から閲覧可能なウェブページを備える。当該ウェブページは、ＨＴＭＬ（ＨｙｐｅｒＴｅｘｔ  Ｍａｒｋｕｐ  Ｌａｎｇｕａｇｅ）で記載されている。
【００７１】
サービス提供装置２の通信サービス提供機能部２１、２２、２３は、宅内機器管理装置４から入力された起動通知パケットから抽出した設定情報をＨＴＭＬでウェブページに書き込む。
【００７２】
（５）情報管理装置３の機能
情報管理装置３は、宅内機器管理装置４から受信したサービスモジュール１０１、１０２、１０３の機器情報に対して、通信サービス提供機能部２１、２２、２３のどのソフトウエアを起動するのかを示す情報を宅内機器管理装置４に返信する。具体的には、情報管理装置３は、以下の（５−１）、（５−２）に示す機能を有する。
【００７３】
（５−１）加入者情報群を記憶する機能
情報管理装置３は、本実施形態のシステムの管理者によって設定された加入者情報群を記憶する。図５は、本発明の第１の実施の形態におけるシステムに設定される加入者情報群の一例を示す図である。
【００７４】
加入者情報群は、図５に示されるように、各サービスモジュールに関連する情報が対応づけられた表である。具体的には、加入者情報群は、サービスモジュールの機器情報毎に、当該サービスモジュールを購入した者を示す加入者ＩＤ、サービスモジュールのＭＡＣアドレス、及びその他情報が対応づけられた表である。その他情報は、機能部情報、設定情報、及び契約内容を示す契約情報である。機能部情報は、どの通信サービス提供機能部２１、２２、２３のソフトウエアを起動するのかを示す情報である。機能部情報は、通信サービス提供機能部２１、２２、２３を示す識別子毎に、起動を示す値（値１）、若しくは起動しないことを示す値（値０）のいずれかが対応づけられている。設定情報は、起動するソフトウエアの設定情報である。サービスモジュールの機器情報に対応する各情報は、以下、「加入者情報」という。
【００７５】
（５−２）加入者情報を抽出・送信機能
情報管理装置３は、宅内機器管理装置４から機器情報を受信すると、記憶する加入者情報群のうち、受信した機器情報に対応する加入者情報を抽出し、抽出した加入者情報を宅内機器管理装置４に送信する。
【００７６】
（６）宅内機器管理装置４について
宅内機器管理装置４は、サービス提供装置２から受信したサービスモジュール１０１、１０２、１０３の機器情報を情報管理装置３に通知し、情報管理装置３から加入者情報を取得する。取得した加入者情報には、起動すべきソフトウエアを備えた通信サービス提供機能部を示す識別子が含まれる。宅内機器管理装置４は、取得した加入者情報から上述の識別子を抽出し、抽出した識別子が示す通信サービス提供機能部に対し、ソフトウエアの起動を通知する。
【００７７】
以下、宅内機器管理装置４の具体的な構成や機能について説明する。
【００７８】
（６−１）宅内機器管理装置４の構成
図６は、本発明の第１の実施の形態におけるシステムに備わる宅内機器管理装置４の構成例を示す図である。宅内機器管理装置４は、図６に示されるように、抽出部４０と、制御部４１を備える。
【００７９】
（６−２）宅内機器管理装置４の機能（加入者情報取得機能）
宅内機器管理装置４の抽出部４０は、サービス提供装置２より受信したＴＲ−０６９  Ｉｎｆｏｒｍ  Ｍｅｓｓａｇｅから機器情報を抽出し、抽出した機器情報を情報管理装置３に送信する。
【００８０】
（６−３）宅内機器管理装置４の機能（起動通知機能）
宅内機器管理装置４の制御部４１は、受信した加入者情報毎に、その中から、起動を示す値（値１）に対応する通信サービス提供機能部を示す識別子と、サービスモジュールのＭＡＣアドレスと、設定情報と、を抽出する。宅内機器管理装置４の制御部４１は、抽出した識別子の示す通信サービス提供機能部に対し、起動を通知するパケットデータを送信する。なお、宅内機器管理装置４は、起動を通知するパケットデータに、抽出したサービスモジュールのＭＡＣアドレスと設定情報を含めてから送信する。各ソフトウエアがサービスモジュールと通信できるようにする為である。さらに、宅内機器管理装置４は、抽出したサービスモジュールのＭＡＣアドレスをサービス提供装置２の振分部２０に送信する。
【００８１】
（７）ＰＣ８と携帯電話９について
ＰＣ８と携帯電話９は、一般的なＰＣと携帯電話である。携帯電話９は、スマートフォンであってもよい。
【００８２】
（８）各機能部の実現手段について
サービスモジュール１０１、１０２は、ＲＯＭ（Ｒｅａｄ  Ｏｎｌｙ  Ｍｅｍｏｒｙ）と、電子回路と、ＤＳＰ（Ｄｉｇｉｔａｌ  Ｓｉｇｎａｌ  Ｐｒｏｃｅｓｓｏｒ）と、一般的な無線アンテナを用いて実現することができる。サービスモジュール１０３は、ＲＯＭ（Ｒｅａｄ  Ｏｎｌｙ  Ｍｅｍｏｒｙ）と電子回路を用いて実現することができる。宅内装置１の取得部１１と送信部１２は、電子回路を用いて実現することができる。
【００８３】
サービス提供装置２の通信サービス提供機能部２１、２２、２３は、ソフトウエアを記憶させるためのＲＡＭ（Ｒａｎｄａｍ  Ａｃｃｅｓｓ  Ｍｅｍｏｒｙ）と、ソフトウエアを動作させるＣＰＵと、電子回路と、を用いて実現することができる。ＣＰＵは、Ｃｅｎｔｒａｌ  Ｐｒｏｃｅｓｓｉｎｇ  Ｕｎｉｔの略称である。
【００８４】
サービス提供装置２の振分部２０は、電子回路を用いて実現することができる。情報管理装置３と宅内機器管理装置４は、ＣＰＵ、ＲＡＭ、及び電子回路を用いて実現することができる。
【００８５】
［動作の説明］
図７は、本発明の第１の実施の形態におけるシステムの動作を説明する為の図である。図７を用いて、本実施形態のシステムの詳細な動作を以下に説明する。
【００８６】
以下では、電子機器（ＰＣ８や携帯電話９）の利用者が、サービスモジュール１０１、１０２を通信事業者から購入し、それらを宅内機器１に実装した場合を例に説明する。また、情報管理装置３には、本実施形態のシステムの管理者（以下、「オペレータ」という）によって、図５に示される加入者情報群が設定されているものとする。オペレータは、上述の加入者情報群を、通信事業者と情報を共有して作成してもよい。
【００８７】
（１）事前に実施されている処理
まず、情報管理装置３は、オペレータにより加入者情報が設定されると、図７に示されるように、設定された加入者情報を記憶する（Ｓ１）。
【００８８】
また、電子機器（ＰＣ８や携帯電話９）の利用者は、自宅に備わる宅内機器１の挿入部１０＿１〜挿入部１０＿３のいずれかに、サービスモジュール１０１、１０２を挿入したとする（Ｓ２）。
【００８９】
（２）サービス提供装置に備わるソフトウエアを起動する動作
宅内装置１の取得部１１は、サービスモジュールの挿入を検出すると、挿入されたサービスモジュール１０１、１０２の各メモリからサービスモジュール１０１、１０２の機器情報を読み出す（Ｓ３）。
【００９０】
挿入部１０＿１、１０＿２、１０＿３には、取得部１１がサービスモジュール１０１、１０２の挿入を検出できるよう、周知のカード挿入検出手段（例えば、ホットスワップコントローラ）が備わってもよい。各カード挿入検出手段は、サービスモジュール１０１、１０２、１０３の挿入を検出すると、取得部１１に検出信号を出力する。取得部１１は、挿入部１０＿１、１０＿２のカード挿入検出手段から検出信号が入力されたときに、挿入部１０＿１、１０＿２にサービスモジュールが挿入されたことを検出してもよい。
【００９１】
次に、宅内装置１の送信部１２は、取得部１１が読み出した機器情報をＴＲ−０６９  Ｉｎｆｏｒｍ  Ｍｅｓｓａｇｅに全て含め、サービス提供装置２を介して宅内機器管理装置４に送信する（Ｓ４）。サービス提供装置２は、上述の「（４−２−１）メッセージ転送機能」で説明した通り、宅内装置１の送信部１２から送信されたＭｅｓｓａｇｅを、振分部２０により宅内機器管理装置４に転送する。
【００９２】
次に、宅内機器管理装置４は、受信したＴＲ−０６９  Ｉｎｆｏｒｍ  Ｍｅｓｓａｇｅから機器情報を全て抽出し、抽出した各機器情報を情報管理装置３に送信する（Ｓ５）。
【００９３】
情報管理装置３は、機器情報を宅内機器管理装置４から受信すると、記憶する加入者情報群のうち、受信した機器情報に対応する加入者情報を抽出し、抽出した加入者情報を宅内機器管理装置４に送信する（Ｓ６）。
【００９４】
Ｓ６において送信された加入者情報が、図５に示される、サービスモジュール１０１、１０２の機器情報に関する２つの加入者情報であったものとして以下、説明を続ける。
【００９５】
次に、宅内機器管理装置４は、受信した２つの加入者情報に含まれる起動を示す値（値１）に対応する通信サービス提供機能部２１、２２に対して、起動を通知するパケットデータを送信する（Ｓ７）。
【００９６】
具体的には、宅内機器管理装置４は、受信した２つの加入者情報毎に、以下の（ｉ）〜（ｉｉｉ）の処理を実施する。
【００９７】
（ｉ）宅内機器管理装置４は、加入者情報の中から、起動を示す値（値１）に対応する通信サービス提供機能部を示す識別子と、サービスモジュールのＭＡＣアドレスと、設定情報と、を抽出する。
【００９８】
（ｉｉ）次に、宅内機器管理装置４は、抽出した識別子の示す通信サービス提供機能部に対し、起動を通知するパケットデータ（すなわち、起動通知パケット）を送信する。
【００９９】
（ｉｉｉ）なお、宅内機器管理装置４は、起動通知パケットに、抽出したＭＡＣアドレス、及び設定情報を含めてから送信する。
【０１００】
宅内機器管理装置４は、上述の（ｉ）〜（ｉｉｉ）の処理を加入者情報毎に実施した結果、サービス提供機能部２１、２２各々に起動通知パケットを送信する。なお、通信サービス提供機能部２１に送信した起動通知パケットには、サービスモジュール１０１のＭＡＣアドレスと設定情報（暗号化方式＝ＡＥＳであることを示す情報等）が含まれる。また、通信サービス提供機能部２２に送信した起動通知パケットには、サービスモジュール１０１のＭＡＣアドレスと設定情報（空の情報）が含まれる。ＡＥＳは、Ａｄｖａｎｃｅｄ  Ｅｎｃｒｙｐｔｉｏｎ  Ｓｔａｎｄａｒｄの略称である。
【０１０１】
次に、上述のＳ７の後、サービス提供装置２の通信サービス提供機能部２１、２２は、図７に示されるように、宅内機器管理装置４から、起動通知パケットが入力されると、自身に備わるソフトウエアを起動する（Ｓ８）。
【０１０２】
具体的には、通信サービス提供機能部２１は、無線ＬＡＮ通信サービス用ソフトウエアを起動し、通信サービス提供機能部２２は、モバイル通信サービス用ソフトウエアを起動する。なお、各通信サービス提供機能部２１、２２は、受信した起動通知パケットから抽出した設定情報とサービスモジュール１０１、１０２のＭＡＣアドレスを各ソフトウエアに設定した上で起動する。各ソフトウエアが、サービスモジュール１０１、１０２とパケットデータを送受信できるようにする為である。
【０１０３】
以下の（３）〜（６）では、上述のＳ８によりソフトウエア（すなわち、サービス提供装置２に実装された一般的な宅内機器の機能）が複数起動されたことにより、複数の通信サービスが電子機器に提供される様子（装置や機器の動作）を説明していく。
【０１０４】
（３）電子機器に複数の通信サービスを提供する為の動作
上述のＳ８の後、起動した無線ＬＡＮ通信サービス用ソフトウエアとモバイル通信サービス用ソフトウエアは、電子機器（ＰＣ８や携帯電話９）に無線ＬＡＮ通信サービスやモバイル通信サービスを提供する為の所定の処理を行う（Ｓ９）。
【０１０５】
具体的には、無線ＬＡＮ通信サービス用ソフトウエアは、上述の（４−２−３−２）で説明した通り、設定された設定情報（暗号化方式等）を基にＩＥＥＥ  ８０２．１１に規定される接続手順を行い、電子機器（ＰＣ８）をインターネット６に接続させる。また、モバイル通信サービス用ソフトウエアは、上述の（４−２−４−２）で説明した通り、３ＧＰＰに規定される接続手順を行い、携帯電話９を３Ｇネットワーク７に接続させる。
【０１０６】
なお、上述の各接続手順を行う際、無線ＬＡＮ通信サービス用ソフトウエアやモバイル通信サービス用ソフトウエアは、電子機器（ＰＣ８や携帯電話９）との間で、接続手順に規定される所定のメッセージを送受信する。メッセージを送受信する為に各ソフトウエアと本実施形態のシステムに備わる装置がどのように動作するのか、その詳細を後述の（４）（５）に示す。但し、後述の（４）（５）は詳細な説明であり、読者は、後述の（６）以降の説明を先に読んでもよい。
【０１０７】
後述の（４）は無線ＬＡＮ通信サービス用ソフトウエアと電子機器（ＰＣ８）との間でメッセージが送受信されるときの各装置の動作を説明したものである。後述の（５）はモバイル通信サービス用ソフトウエアと電子機器（携帯電話９）との間でメッセージが送受信されるときの各装置を説明したものである。
【０１０８】
（４）無線ＬＡＮ通信サービス用ソフトウエアと電子機器（ＰＣ８）間での送受信
（４−１）無線ＬＡＮ通信サービス用ソフトウエアから送信されたメッセージが電子機器（ＰＣ８）に届くまでの各装置の動作
（４−１−１）ソフトウエアと宅内機器１間における送受信動作
無線ＬＡＮ通信サービス用ソフトウエアが、接続手順に規定されるメッセージ（例えば、Ｐｒｏｂｅ  ｒｅｓｐｏｎｓｅメッセージ等）を送信する場合、該無線ＬＡＮ通信サービス用ソフトウエアは、送信するメッセージを、まず振分部２０に出力する。そのとき、無線ＬＡＮ通信サービス用ソフトウエアは、当該メッセージに、サービスモジュール１０１のＭＡＣアドレスを含めて出力する。サービスモジュール１０１のＭＡＣアドレスはＳ８で設定されている。
【０１０９】
サービス提供装置２の振分部２０は、無線ＬＡＮ通信サービス用ソフトウエアから入力されたメッセージ（パケットデータ）を、上述の（４−２−６）で説明した通り、宅内装置１に送信する。送信されたメッセージは、宅内装置１のサービスモジュール１０１、１０２、１０３で受信される。各サービスモジュール１０１、１０２、１０３は、上述の「（２−２）サービスモジュール１０１、１０２、１０３のデータ中継機能」で説明した通り、受信したメッセージが自分宛てのメッセージ（パケットデータ）か否かを判別する。具体的には、サービスモジュール１０１、１０２、１０３は、受信したメッセージに、自身が記憶するＭＡＣアドレスが含まれるか否かを判別する。ここでは、メッセージにサービスモジュール１０１のＭＡＣアドレスが含まれているので、サービスモジュール１０１が自分宛てと判別する。
【０１１０】
（４−１−２）宅内機器１と電子機器（ＰＣ８）間における送受信動作
次に、受信したメッセージが自分宛てと判別した宅内機器１のサービスモジュール１０１は、上述の「（２−２−１）サービスモジュール１０１のデータ中継機能」で説明した通り、受信したメッセージを電子機器（ＰＣ８）に中継する。すなわち、サービスモジュール１０１は、受信したメッセージをＩＥＥＥ  ８０２．１１に準拠した無線信号として、無線ＬＡＮアンテナから電子機器（ＰＣ８）に送信する。電子機器（ＰＣ８）は、受信した無線信号からメッセージを抽出する。上述の通り、電子機器（ＰＣ８）は、無線ＬＡＮ通信サービス用ソフトウエアからメッセージを受信することができる。
【０１１１】
（４−２）電子機器（ＰＣ８）から送信されたメッセージが無線ＬＡＮ通信サービス用ソフトウエアに届くまでの各装置の動作
（４−２−１）電子機器（ＰＣ８）と宅内機器１間における送受信動作
電子機器（ＰＣ８）が接続手順に規定されるメッセージを送信する場合、電子機器（ＰＣ８）は、接続手順に規定されるメッセージ（例えば、Ａｕｔｈｅｎｔｉｆｉｃａｔｉｏｎ）を、ＩＥＥＥ  ８０２．１１に準拠した無線信号として送信する。すなわち、電子機器（ＰＣ８）は、無線ＬＡＮ通信を用いてメッセージ（パケットデータ）を送受信する。送信された無線信号は、無線ＬＡＮアンテナを備える宅内機器１のサービスモジュール１０１で受信される。
【０１１２】
（４−２−２）宅内機器１とソフトウエア間における送受信動作
サービスモジュール１０１は、無線ＬＡＮアンテナにより受信した無線信号からメッセージを抽出し、上述の「（２−２−１）」で説明した通り、抽出したメッセージに、記憶する自身を示すＭＡＣアドレスを含め、サービス提供装置２に送信する。サービス提供装置２の振分部２０は、上述の「（４−２−６）振分機能」で説明した通り、受信したメッセージを、メッセージに含まれるサービスモジュール１０１のＭＡＣアドレスに対応する通信サービス提供機能部２１に出力する。なお、振分部２０は、上述の（４−２−６）の処理を行う為に、サービスモジュール１０１、１０２のＭＡＣアドレスを保持する必要がある。その為に、宅内機器管理装置４が、Ｓ７の後、サービスモジュール１０１、１０２のＭＡＣアドレスを含む起動通知パケットを振分部２０に送信し、振分部２０が、当該起動通知パケットからサービスモジュール１０１、１０２のＭＡＣアドレスを取得してもよい。
【０１１３】
通信サービス提供機能部２１に入力されたメッセージは無線ＬＡＮ通信サービス用ソフトウエアにて受信される。無線ＬＡＮ通信サービス用ソフトウエアは、電子機器（ＰＣ８）からメッセージを受信することができる。
【０１１４】
無線ＬＡＮ通信サービス用ソフトウエアは、接続手順に規定されたメッセージについて、電子機器（ＰＣ８）と送受信することで、電子機器（ＰＣ８）をインターネット６に接続させる。
【０１１５】
（５）モバイル通信サービス用ソフトウエアと電子機器（携帯電話９）間での送受信
（５−１）モバイル通信サービス用ソフトウエアから送信されたメッセージが電子機器（携帯電話９）に届くまでの各装置の動作
（５−１−１）ソフトウエアと宅内機器１間における送受信動作
モバイル通信サービス用ソフトウエアが、接続手順に規定されるメッセージ（例えば、ＲＲＣ  Ｃｏｎｎｅｃｔｉｏｎ  Ｓｅｔｕｐ等）を送信する場合、該無線ＬＡＮ通信サービス用ソフトウエアは、送信するメッセージを、まず振分部２０に出力する。そのとき、モバイル通信サービス用ソフトウエアは、当該メッセージに、サービスモジュール１０２のＭＡＣアドレスが含まれる。
【０１１６】
以降、各装置は、「（３−１）無線ＬＡＮ通信サービス用ソフトウエアから送信されたメッセージが電子機器（ＰＣ８）に届くまでの各装置の動作」で説明したのと同じ動作を行う。
【０１１７】
すなわち、振分部２０は、モバイル通信サービス用ソフトウエアから入力されたメッセージ（パケットデータ）を、宅内装置１に送信する。送信されたメッセージは、宅内装置１のサービスモジュール１０１、１０２、１０３で受信される。
【０１１８】
（５−１−２）宅内機器１と電子機器（携帯電話９）間における送受信動作
自分宛てのメッセージ（パケットデータ）と判別した宅内機器１のサービスモジュール１０２は、受信したメッセージを電子機器（携帯電話９）に中継する。すなわち、サービスモジュール１０２は、受信したメッセージを３ＧＰＰに規定されるＣＤＭＡ方式、若しくはＬＴＥ方式の無線信号として、無線ＬＡＮアンテナから電子機器（携帯電話９）に送信する。電子機器（携帯電話９）は、受信した無線信号からメッセージを抽出する。上述の通り、電子機器（携帯電話９）は、モバイル通信サービス用ソフトウエアからメッセージを受信することができる。
【０１１９】
（５−２）電子機器（携帯電話９）から送信されたメッセージがモバイル通信サービス用ソフトウエアに届くまでの各装置の動作
（５−２−１）電子機器（携帯電話９）と宅内機器１間における送受信動作
次に、電子機器（携帯電話９）が接続手順に規定されるメッセージを送信する場合、電子機器（携帯電話９）は、接続手順に規定されるメッセージを、３ＧＰＰに規定されるＣＤＭＡ方式、若しくはＬＴＥ方式の無線信号として送信する。送信された無線信号は、フェムトセルアンテナを備える宅内機器１のサービスモジュール１０２で受信される。すなわち、電子機器（携帯電話９）は、モバイル通信を用いてメッセージ（パケットデータ）を宅内機器１のサービスモジュール１０２と送受信する。
【０１２０】
（５−２−２）宅内機器１とソフトウエア間における送受信動作
以降、各装置は、上述の「（４−２）電子機器（ＰＣ８）から送信されたメッセージが無線ＬＡＮ通信サービス用ソフトウエアに届くまでの各装置の動作」の記載と同じ動作を行う。
【０１２１】
すなわち、サービスモジュール１０２は、フェムトセルアンテナにより受信した無線信号からメッセージを抽出し、抽出したメッセージを、宅内装置１を介してサービス提供装置２に送信する。サービス提供装置２の振分部２０は、受信したメッセージを通信サービス提供機能部２２に出力する。通信サービス提供機能部２２に入力されたメッセージはモバイル通信サービス用ソフトウエアにて受信される。モバイル通信サービス用ソフトウエアは、電子機器（携帯電話９）からメッセージを受信することができる。
【０１２２】
モバイルサービス用ソフトウエアは、接続手順に規定された各メッセージについて、上述のように電子機器（携帯電話９）と送受信することで、電子機器（携帯電話９）を３Ｇネットワーク７に接続させる。
【０１２３】
（６）接続後の無線ＬＡＮ通信やモバイル通信
上述の接続後、インターネット６や３Ｇネットワーク７に接続された電子機器（ＰＣ８や携帯電話９）が、インターネット６や３Ｇネットワーク７の装置（図示せず）とパケットデータを送受信する。
【０１２４】
（６−１）接続後の無線ＬＡＮ通信
そのとき、サービス提供装置２の無線ＬＡＮ通信サービス用ソフトウエアは、［構成の説明］の（４−２−３−２）で説明した通りに動作し、インターネット６の装置とパケットデータを送受信する。
【０１２５】
また、無線ＬＡＮ通信サービス用ソフトウエアは、宅内機器１（のサービスモジュール１０１）とパケットデータを送受信する。そのとき、無線ＬＡＮ通信サービス用ソフトウエアと宅内機器１は、上述の「（４−１−１）ソフトウエアと宅内機器１間における送受信動作」や「（４−２−２）宅内機器１とソフトウエア間における送受信動作」の通りに動作する。上述の（４−１−１）（４−２−２）では、メッセージについて説明を行っているが、パケットデータでも同じである。
【０１２６】
さらに、電子機器（ＰＣ８）と宅内装置１（のサービスモジュール１０１）は、無線ＬＡＮ通信にてパケットデータを送受信する。その動作は、上述の「（４−１−２）宅内機器１と電子機器（ＰＣ８）間における送受信動作」や「（４−２−１）電子機器（ＰＣ８）と宅内機器１間における送受信動作」で説明した通りである。
【０１２７】
上述の動作により、電子機器（ＰＣ８）は、無線ＬＡＮ通信により、接続するインターネット６の装置と通信を行うことができる。すなわち、電子機器（ＰＣ８）は、無線ＬＡＮ通信サービスを受けることができる。
【０１２８】
（６−２）接続後のモバイル通信
一方、サービス提供装置２のモバイル通信サービス用ソフトウエアは、［構成の説明］の（４−２−４−２）で説明した通りに動作し、３Ｇネットワークの装置とパケットデータを送受信する。
【０１２９】
さらに、モバイル通信サービス用ソフトウエアは、宅内機器１（のサービスモジュール１０２）とパケットデータを送受信する。そのとき、モバイル通信サービス用ソフトウエアと宅内機器１は、上述の「（５−１−１）ソフトウエアと宅内機器１間における送受信動作」や「（５−２−２）宅内機器１とソフトウエア間における送受信動作」の通りに動作する。上述の（５−１−１）（５−２−２）では、メッセージについて説明を行っているが、パケットデータでも同じである。
【０１３０】
さらに、電子機器（携帯電話９）と宅内装置１（のサービスモジュール１０２）は、モバイル通信にてパケットデータを送受信する。その動作は、上述の「（４−１−２）宅内機器１と電子機器（携帯電話９）間における送受信動作」や「（４−２−１）電子機器（携帯電話９）と宅内機器１間における送受信動作」で説明した通りである。
【０１３１】
上述の動作により、電子機器（携帯電話９）は、モバイル通信により、接続する３Ｇネットワーク７の装置と通信を行うことができる。すなわち、電子機器（携帯電話９）は、モバイル通信サービスを受けることができる。
【０１３２】
電子機器（ＰＣ８や携帯電話９）は、１台の宅内機器１を介し、複数の通信サービス（無線ＬＡＮ通信サービスやモバイル通信サービス）を受けることができる。電子機器（ＰＣ８や携帯電話９）の利用者は、複数の通信サービスをうけるとき、宅内機器を１台設置するだけである。
【０１３３】
（７）サービスモジュール１０３を宅内機器１に挿入された場合について
さらに、電子機器（ＰＣ８）の利用者が、通信事業者からサービスモジュール１０３を購入し、当該サービスモジュール１０３を宅内機器１に挿入した場合の各装置の動作について説明を行う。電子機器（ＰＣ８）の利用者は、新たに１つ通信サービス（ウイルスチェックサービス）を受けることができる。
【０１３４】
（７−１）サービスモジュール１０３が挿入された時の動作
まず、宅内機器１は、サービスモジュール１０３が挿入されると、Ｓ３の処理を実施し、挿入されたサービスモジュール１０３から機器情報を読み出す。読み出されたサービスモジュール１０３の機器情報は、図７に示されるように、Ｓ４、Ｓ５によって、情報管理装置３に送信される。情報管理装置３は、Ｓ６を実施し、受信した機器情報に対応する加入者情報を宅内機器管理装置４に送信する。送信した加入者情報は、図５に示される加入者ＩＤ＝１０１の加入者情報である。
【０１３５】
宅内機器管理装置４は、加入者情報を受信すると、Ｓ７を実施し、通信サービス提供機能部２３に対して、起動通知パケットを送信する。その際、宅内機器管理装置４は、起動通知パケットに、加入者情報よりサービスモジュール１０３のＭＡＣアドレスと設定情報を含める。設定情報には、ウイルスチェック有を示す情報が含まれる。
【０１３６】
起動通知パケットを受信した通信サービス提供機能部２３は、インターネットサービス用ソフトウエアを起動する。
【０１３７】
インターネットサービス用ソフトウエアは、上述の「（４−２−５）インターネットサービス用ソフトウエアについて」で説明した動作を行う。すなわち、インターネットサービス用ソフトウエアは、インターネット６から入力されたパケットデータに対してウイルスチェックを行い、ウイルスが検出されなかったパケットデータのみ電子機器（ＰＣ８）に送信する。
【０１３８】
電子機器（ＰＣ８）のユーザは、ウイルスチェックを行った安全なパケットデータを受けるというインターネットサービスを受けることができる。
【０１３９】
（７−２）インターネットサービス用ソフトウエアのその他の処理
インターネットサービス用ソフトウエアは、ウイルスチェック以外に他の処理も実施してもよい。例えば、インターネットサービス用ソフトウエアは、インターネット６に送信するパケットデータに対し、周知のＮＡＴ（Ｎｅｔｗｏｒｋ  Ａｄｄｒｅｓｓ  Ｔｒａｎｓｌａｔｉｏｎ）変換処理を行ってもよい。電子機器のＩＰ（Ｉｎｔｅｒｎｅｔ  Ｐｒｏｔｏｃｏｌ）アドレスをインターネット６上に公開しないようにするインターネットサービスを電子機器の利用者に提供することができる。
【０１４０】
なお、ＮＡＴ変換を行う為に、加入者情報の設定情報にＮＡＴ有を示す情報が追加される。また、インターネットサービス用ソフトウエアは、設定情報にＮＡＴ有を示す情報が含まれるときに、上述のＮＡＴ変換処理を行う。
【０１４１】
また、インターネットサービス用ソフトウエアは、以下の処理を行ってもよい。
【０１４２】
インターネットサービス用ソフトウエアは、設定情報の契約情報にコンテンツサイトのＵＲＬが含まれているとき、当該ＵＲＬのコンテンツサイトにアクセスしてコンテンツを取得し、取得したコンテンツをパケットデータとして振分部２０に出力する。ＵＲＬは、Ｕｎｉｆｏｒｍ  Ｒｅｓｏｕｒｃｅ  Ｌｏｃａｔｏｒの略称である。なお、ＵＲＬは、サービス提供装置２に備わるポータルサイトのＵＲＬであってもよい。インターネットサービス用ソフトウエアから出力されたコンテンツ（パケットデータ）は、振分部２０やサービスモジュール１０３を介して電子機器（ＰＣ８）に送信される。電子機器（ＰＣ８）は、受信したコンテンツを表示する。
【０１４３】
上述のように、インターネットサービス用ソフトウエアは、設定情報の契約情報に基づいて、電子機器（ＰＣ８）にコンテンツのダウンロードを行い、電子機器（ＰＣ８）の画面に、コンテンツを表示することもできる。
【０１４４】
（８）ポータルサイトへの掲載
上述のＳ８の後、サービス提供装置２の通信サービス提供機能部２１、２２、２３は、図７に示されるように、ポータルサイトが掲載するウェブページに、Ｓ８で抽出した設定情報と自身を示す識別子を掲載する（Ｓ１０）。
【０１４５】
具体的には、通信サービス提供機能部２１、２２、２３は、自身に備わるソフトウエアを起動した後、Ｓ８において抽出した設定情報と自身を示す識別子を、ポータルサイトが掲載するウェブページのＨＴＭＬ文書に書き込む。上述の自身を示す識別子は、本実施形態の管理者によって予め通信サービス提供機能部２１、２２、２３に設定されている。なお、通信サービス提供機能部２１、２２、２３は、Ｓ８において抽出した設定情報等を、書き込む際、正常に掲載されるよう、ＨＴＭＬ文書の＜ｂｏｄｙ＞と＜／ｂｏｄｙ＞の間に書き込んでもよい。
【０１４６】
その後、電子機器（ＰＣ８）の利用者は、周知のＨＴＴＰ（Ｈｙｐｅｒ  Ｔｅｘｔ  Ｔｒａｎｓｆｅｒ  Ｐｒｏｔｏｃｏｌ）により電子機器（ＰＣ８）からポータルサイトにアクセス（Ｓ１１）し、ウェブページを閲覧してもよい。
【０１４７】
その場合、電子機器（ＰＣ８）の利用者は、ウェブページを確認し、現在受けている通信サービスの設定を確認することができる。
【０１４８】
（９）設定情報を更新する処理
図８は、本実施形態のシステムの動作（設定変更する場合の動作）を説明する為の図である。
【０１４９】
ウェブページを確認した電子機器（ＰＣ８）の利用者は、通信サービスの設定を変更することもできる。その為に、各装置は、例えば、以下の通りに動作してもよい。
【０１５０】
なお、電子機器（ＰＣ８）の利用者が、通信サービス提供機能部２３を示す識別子と、変更後の設定情報（具体的には、ウイルスチェック無を示す情報）を、キーボードを介して電子機器（ＰＣ８）に入力したものとして以下、説明を行う。
【０１５１】
まず、電子機器（ＰＣ８）は、キーボードを介して識別子や設定情報が入力されると、入力された識別子や設定情報を、図８に示されるように、設定変更要求メッセージとして宅内機器管理装置４に送信する（Ｓ２０）。
【０１５２】
具体的には、電子機器（ＰＣ８）は、設定変更要求メッセージをサービスモジュール１０３に送信する。送信された設定変更要求メッセージは、サービスモジュール１０３、宅内装置１、サービス提供装置２の振分部２０を介して、宅内機器管理装置４により受信される。
【０１５３】
次に、宅内機器管理装置４は、受信した設定変更要求メッセージから設定情報と識別子を抽出し、抽出した識別子が示す通信サービス提供機能部２３に対し、設定情報を設定変更要求メッセージとして送信する（Ｓ２１）。
【０１５４】
次に、通信サービス提供機能部２３は、設定変更要求メッセージを受信すると、当該メッセージから設定情報を抽出し、抽出した設定情報を自身に備わるインターネットサービス用ソフトウエアに設定する（Ｓ２２）。
【０１５５】
インターネットサービス用ソフトウエアは、新たに設定された設定情報（ウイルスチェック無を示す情報）で動作する。すなわち、インターネットサービス用ソフトウエアは、インターネット６からのパケットデータを、そのまま電子機器（ＰＣ８）に送信する。ウイルスチェックは実施しない。
【０１５６】
次に、通信サービス提供機能部２３は、Ｓ２２の後、設定変更要求メッセージに対する応答メッセージ（以下、「設定変更応答メッセージ」という）を宅内機器管理装置４に送信する（Ｓ２３）。
【０１５７】
さらに、宅内機器管理装置４は、受信した設定変更応答メッセージを電子機器（ＰＣ８）に送信する（Ｓ２４）。
【０１５８】
具体的には、宅内機器管理装置４は、設定変更応答メッセージをサービス提供装置２の振分部２０に送信する。送信された設定変更応答メッセージは、振分部２０、宅内装置１、サービスモジュール１０３を介して、電子機器（ＰＣ８）に受信される。
【０１５９】
なお、宅内機器管理装置４は、送信する設定変更応答メッセージに、設定変更要求メッセージに含まれていた識別子と設定情報と、設定完了したことを示す結果情報と、サービスモジュール１０３のＭＡＣアドレスと、を含める。サービスモジュール１０３のＭＡＣアドレスはサービスモジュール１０３が自身宛てのメッセージと認識する為に使用される。
【０１６０】
次に、電子機器（ＰＣ８）は、受信した設定変更応答メッセージに含まれる結果情報（すなわち、設定完了したことを示す情報）を自身に備わる画面に表示する（Ｓ２５）。
【０１６１】
その結果、電子機器（ＰＣ８）の利用者は、設定変更が完了したことを知ることができる。
【０１６２】
なお、電子機器（ＰＣ８）は、設定変更応答メッセージに含まれる識別子と設定情報も表示してもよい。
【０１６３】
（１０）提供する通信サービスについて
上記では、本実施形態のシステムが電子機器に提供する通信サービスは、無線ＬＡＮ通信サービスやモバイル通信サービス、インターネットサービス（ウイルスチェックサービス）である場合について説明したが、これらに限らない。本実施形態のシステムは、いかなる通信サービスを電子機器に提供してもよい。その場合、各通信サービス提供機能部には、提供する通信サービスを実現するソフトウエアが実装される。
【０１６４】
また、情報管理装置３、及び宅内機器管理装置４の機能は、サービス提供装置２に含まれてもよい。
【０１６５】
［効果の説明］
本実施形態によれば、電子機器（ＰＣ８や携帯端末９）の利用者は、複数の通信サービス（例えば、モバイル通信サービスや無線ＬＡＮ通信サービス）を受けるとき、宅内機器を複数台、自宅に設置する必要がなくなる。電子機器（ＰＣ８や携帯端末９）の利用者は、宅内装置を１台設置するだけで、複数の通信サービスを受けることができる。
【０１６６】
なぜならば、本実施形態のシステムでは、電子機器に通信サービスを提供する一般的な宅内機器の機能を複数集約したサービス提供装置を備え、１台の宅内機器が、利用者による操作に応じてサービス提供装置の各機能を複数起動するからである。起動した各機能は、それぞれ通信サービスを電子機器（ＰＣ８や携帯端末９）に提供する。その結果、電子機器の利用者は、宅内装置を１台設置するだけで、複数の通信サービスを受けることができる。電子機器の利用者は、宅内機器を複数台、自宅に設置する必要がなくなる。
【０１６７】
なお、本実施形態のシステムでは、一般的な宅内機器の機能をネットワーク上のサービス提供装置に集約（実装）している。その為、システムの管理者は、一般的な宅内機器の機能をバージョンアップする場合、ネットワーク上のサービス提供装置でバージョンアップ作業をすればよく、電子機器の利用者の自宅に赴いてバージョンアップ作業をする必要がなくなる。
【０１６８】
≪第２の実施の形態≫
図９は、本発明の第２の実施の形態におけるシステムの構成例を示す図である。以下に、第２の実施の形態のシステムの構成と動作について説明する。
【０１６９】
［構成の説明］
（１）第２の実施形態のシステムの構成
第２の実施形態のシステムは、図９に示されるように、宅内装置５０と、サービス提供装置６０と、電子機器７０と、を備える。宅内装置５０は、サービス提供装置６０と有線回線を介して接続され、電子機器７０とは無線回線を介して接続される。図９では、宅内装置５０は、電子機器７０の利用者の施設（例えば自宅）内に設置される装置である。
【０１７０】
（２）宅内装置５０とサービス提供装置６０の構成
宅内装置５０は、制御部５１と、中継部５２と、を備える。
【０１７１】
サービス提供装置６０は、起動部６１と、複数の提供機能部６２、６３を備える。
【０１７２】
（３）宅内装置５０の各部位の機能
（３−１）制御部５１の機能
制御部５１は、通信サービス（例えば、無線ＬＡＮ通信サービス）を電子機器７０に提供する為の所定の操作が実施されたとき、当該通信サービスに対応する所定の識別情報をサービス提供装置６０に送信する。
【０１７３】
例えば、宅内装置５０には、無線ＬＡＮ通信サービスを電子機器７０に提供する為のボタンＡが備わっており、ボタンＡの押下が実施されたとき、制御部５１は、無線ＬＡＮ通信サービスに対応する識別情報（値２）を送信してもよい。さらに、宅内装置５０には、モバイル通信サービスを電子機器７０に提供する為のボタンＢが備わっており、ボタンＢの押下が実施されたとき、制御部５１は、モバイル通信サービスに対応する識別情報（値３）を送信してもよい。
【０１７４】
上述のＬＡＮは、Ｌｏｃａｌ  Ａｒｅａ  Ｎｅｔｗｏｒｋの略称である。
【０１７５】
（３−２）中継部５２の機能
中継部５２は、上述の送信後に、サービス提供装置６０と電子機器７０との間を流れる通信サービスに係るデータを、当該通信サービスに対応する所定の通信形式で中継する。
【０１７６】
例えば、中継部５２は、サービス提供装置６０と電子機器７０との間を流れる無線ＬＡＮ通信サービスに係るデータを、無線ＬＡＮ通信サービスに対応する所定の通信形式（すなわち、ＩＥＥＥ  ８０２．１１に規定される通信方式）で中継してもよい。また、中継部５２は、サービス提供装置６０と電子機器７０との間を流れるモバイル通信サービスに係るデータを、モバイル通信サービスに対応する所定の通信形式（例えば、３ＧＰＰに規定されるＣＤＭＡやＬＴＥ方式）で中継してもよい。
【０１７７】
上述のＣＤＭＡはＣｏｄｅ  Ｄｉｖｉｓｉｏｎ  Ｍｕｌｔｉｐｌｅ  Ａｃｃｅｓｓの略称であり、ＬＴＥは、Ｌｏｎｇ  Ｔｅｒｍ  Ｅｖｏｌｕｔｉｏｎの略称である。３ＧＰＰは、３ｒｄ  Ｇｅｎｅｒａｔｉｏｎ  Ｐａｒｔｎｅｒｓｈｉｐ  Ｐｒｏｊｅｃｔの略称である。
【０１７８】
（４）サービス提供装置６０の各部位の機能
（４−１）提供機能部６２、６３の機能
提供機能部６２、６３は、起動信号が入力されると、電子機器７０に異なる通信サービスを提供する為の所定の通信処理を行う。
【０１７９】
例えば、提供機能部６２は、電子機器７０とＩＥＥＥ  ８０２．１１に規定される接続手順に従った通信を行って、電子機器７０をインターネット（図示せず）に接続し、インターネットと電子機器７０間を流れるデータを中継してもよい。電子機器７０に無線ＬＡＮ通信サービスを提供する為の通信処理である。
【０１８０】
提供機能部６３は、所定の通信処理として、３ＧＰＰに規定される接続手順に従った通信を電子機器７０と行って移動体通信網（図示せず）に接続し、移動体通信網と電子機器７０間を流れるデータを中継してもよい。電子機器７０にモバイル通信サービスを提供する為の通信処理である。
【０１８１】
上述のＩＥＥＥは、Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓの略称である。
【０１８２】
（４−２）起動部６１の機能
起動部６１は、宅内機器５０より受信した識別情報に対応する所定の提供機能部６２、６３に対し、起動信号を出力する。
【０１８３】
例えば、起動部６１は、識別情報（値２）を受信したとき、提供機能部６２に起動信号を出力し、識別情報（値３）を受信したとき、提供機能部６３に起動信号を出力してもよい。
【０１８４】
[動作の説明]
次に、本実施形態のシステムの動作について説明をする。
【０１８５】
（１）無線ＬＡＮ通信サービスを電子機器７０に提供する動作
まず、電子機器７０の利用者が、無線ＬＡＮ通信サービスを電子機器７０に提供する為の所定の操作を宅内装置５０に実施したとする。具体的には、電子機器７０の利用者が、宅内装置５０に備わる、無線ＬＡＮ通信サービスを電子機器７０に提供する為のボタンＡを押下したとする。
【０１８６】
宅内装置５０の制御部５１は、所定の操作が実施されたとき（すなわち、ボタンＡが押下されたとき）、無線ＬＡＮ通信サービスに対応する所定の識別情報（値２）をサービス提供装置６０に送信する。
【０１８７】
サービス提供装置６０の起動部６１は、宅内機器５０より受信した識別情報（値２）に対応する所定の提供機能部６２に対し、起動信号を出力する。
【０１８８】
サービス提供装置６０の提供機能部６２は、起動信号が入力されると、電子機器７０に無線ＬＡＮ通信サービスを提供する為の所定の通信処理を行う。
【０１８９】
具体的には、提供機能部６２は、電子機器７０とＩＥＥＥ  ８０２．１１に規定される接続手順に準拠した通信を行って、電子機器７０をインターネット（図示せず）に接続し、インターネットと電子機器７０間を流れるデータを中継する。
【０１９０】
例えば、インターネットに接続された電子機器７０が、インターネット上の装置（図示せず）とデータを送受信したとき、提供機能部６２は、インターネット上の装置と電子機器７０との間を流れるデータを中継する。中継されるデータは、サービス提供装置６０と電子機器７０との間にも流れる。中継されるデータは、無線ＬＡＮ通信サービスに係るデータである。
【０１９１】
宅内装置５０の中継部５２は、識別情報の送信後にサービス提供装置６０と電子機器７０との間を流れる（無線ＬＡＮ通信サービスに係る）データを、無線ＬＡＮ通信サービスに対応する所定の通信形式で中継する。所定の通信形式は、ＩＥＥＥ  ８０２．１１に規定される通信方式である。
【０１９２】
上述の動作により、電子機器７０は、無線ＬＡＮ通信を用いて無線でインターネット上の装置と通信を行うことができる。すなわち、電子機器７０の利用者は、無線ＬＡＮ通信サービスを受けることができる。
【０１９３】
（２）モバイル通信サービスを電子機器７０に提供する動作
次に、電子機器７０の利用者が、モバイル通信サービスを電子機器７０に提供する為の所定の操作を宅内装置５０に実施したとする。具体的には、電子機器７０の利用者が、宅内装置５０に備わる、モバイル通信サービスを電子機器７０に提供する為のボタンＢを押下したとする。
【０１９４】
宅内装置５０の制御部５１は、所定の操作が実施されたとき（すなわち、ボタンＢが押下されたとき）、モバイル通信サービスに対応する所定の識別情報（値３）をサービス提供装置６０に送信する。
【０１９５】
サービス提供装置６０の起動部６１は、宅内機器５０より受信した識別情報（値３）に対応する所定の提供機能部６３に対し、起動信号を出力する。
【０１９６】
サービス提供装置６０の提供機能部６３は、起動信号が入力されると、電子機器７０にモバイル通信サービスを提供する為の所定の通信処理を行う。
【０１９７】
具体的には、提供機能部６３は、電子機器７０と３ＧＰＰに規定される接続手順に準拠した通信を行って、電子機器７０を移動体通信網（図示せず）に接続し、移動体通信網と電子機器７０間を流れるモバイル通信サービスのデータを中継する。
【０１９８】
例えば、移動体通信網に接続された電子機器７０が、移動体通信網上の装置（図示せず）とデータを送受信したとき、提供機能部６２は、移動体通信網上の装置と電子機器７０との間を流れるデータを中継する。中継されるデータは、サービス提供装置６０と電子機器７０との間にも流れる。中継されるデータは、モバイル通信サービスに係るデータである。
【０１９９】
宅内装置５０の中継部５２は、識別情報の送信後にサービス提供装置６０と電子機器７０との間を流れる（モバイル通信サービスに係る）データを、モバイル通信サービスに対応する所定の通信形式で中継する。所定の通信形式は、３ＧＰＰに規定される通信形式（すなわち、ＣＤＭＡ方式、若しくはＬＴＥ方式）である。
【０２００】
上述の動作により、電子機器７０は、モバイル通信を用いて無線で移動体通信網上の装置と通信を行うことができる。すなわち、電子機器７０の利用者は、モバイル通信サービスを受けることができる。
【０２０１】
［効果の説明］
本実施形態によれば、電子機器７０の利用者は、複数の通信サービス（例えば、モバイル通信サービスや無線ＬＡＮ通信サービス）を受けるとき、宅内機器を複数台、自宅に設置する必要がなくなる。電子機器（ＰＣ８や携帯端末９）の利用者は、宅内装置５０を１台設置するだけで、複数の通信サービス（モバイル通信サービスや無線ＬＡＮ通信サービス）を受けることができる。
【０２０２】
なぜならば、本実施形態のシステムでは、電子機器７０に通信サービスを提供する為の機能を複数実装したサービス提供装置６０を備え、１台の宅内機器５０が、利用者による操作に応じてサービス提供装置６０の各機能を複数起動するからである。起動した各機能は、それぞれ通信サービス（モバイル通信サービスや無線ＬＡＮ通信サービス）を電子機器７０に提供する。その結果、電子機器の利用者は、宅内装置を１台設置するだけで、複数の通信サービスを受けることができる。電子機器の利用者は、宅内機器を複数台、自宅に設置する必要がなくなる。
【０２０３】
なお、上述した実施の形態は、その形態に限定されるものではなく、実施段階ではその要旨を逸脱しない範囲で種々変更可能である。
【０２０４】
さらに、上記の各実施形態の一部又は全部は、以下の付記のようにも記載されうるが、以下には限られない。
（付記１）
電子機器とサービス提供装置に接続され、
通信サービスを前記電子機器に提供する為の所定の操作が実施されたとき、前記通信サービスに対応する所定の識別情報を前記サービス提供装置に送信する制御部と、
前記送信後に前記サービス提供装置と前記電子機器との間を流れる前記通信サービスに係るデータを、前記通信サービスに対応する所定の通信形式で中継する中継部と、を備える、
ことを特徴とする宅内装置。
（付記２）
異なる通信サービスに対応する所定のカードが挿入される複数の挿入部と、
前記挿入部に挿入された前記カード各々から前記通信サービスに係る識別情報を取得する取得部と、を備え、
前記制御部は、前記カードが前記挿入部に挿入されたとき、前記取得部が取得した前記識別情報各々を前記サービス提供装置に送信する、
を備えることを特徴とする付記１に記載の宅内装置。
（付記３）
前記制御部は、前記取得部が取得した前記識別情報各々を所定の１メッセージに相乗りさせて前記サービス提供装置に送信する、
ことを特徴とする付記２に記載の宅内装置。
（付記４）
宅内機器と接続された装置であって、
起動信号が入力されると、前記宅内機器に接続された電子機器に異なる通信サービスを提供する為の所定の通信処理を行う複数の提供機能部と、
前記宅内機器より受信した識別情報に対応する所定の前記提供機能部に対し、前記起動信号を出力する起動部と、を備える、
ことを特徴とするサービス提供装置。
（付記５）
前記所定の通信処理は、前記通信サービスに係る所定の規格の接続手順に準拠した所定のデータを前記電子機器と送受信して前記電子機器を前記所定の規格に対応するネットワークに接続し、前記ネットワークと前記電子機器間を流れる前記通信サービスに係るデータを中継する処理である、
ことを特徴とする付記４に記載のサービス提供装置。
（付記６）
前記起動部は、前記識別情報に対応する所定の設定情報を前記起動信号に含めて出力し、
前記提供機能部は、前記起動信号の前記設定情報に基づいて前記所定の通信処理を行う、
ことを特徴とする付記４乃至５のいずれか１項に記載のサービス提供装置。
（付記７）
ポータルサイトを備えた装置であって、
前記ポータルサイトのウェブページに前記設定情報を書き込む設定部を備える、
ことを特徴とする付記６に記載のサービス提供装置。
（付記８）
前記起動部は、前記宅内機器より受信したメッセージから抽出した前記識別情報毎に、対応する前記提供機能部に前記起動信号を出力する、
ことを特徴とする付記４乃至７のいずれか１項に記載のサービス提供装置。
（付記９）
宅内装置とサービス提供装置が接続され、
前記宅内装置は、付記１乃至３のいずれか１項に記載の宅内装置であり、
前記サービス提供装置は、付記４乃至８のいずれか１項に記載のサービス提供装置である、
ことを特徴とするシステム。
（付記１０）
電子機器と接続する宅内機器が、通信サービスを前記電子機器に提供する為の所定の操作を実施されたとき、前記通信サービスに対応する所定の識別情報を、接続するサービス提供装置に送信する制御ステップと、
起動信号が入力されると、前記電子機器に異なる通信サービスを提供する為の所定の通信処理を行う提供機能部を複数備えた前記サービス提供装置が、前記宅内機器より受信した識別情報に対応する所定の前記提供機能部に対して前記起動信号を出力する起動ステップと、
前記所定の通信処理により前記サービス提供装置と前記電子機器との間を流れる前記通信サービスに係るデータを、前記宅内機器が前記通信サービスに対応する所定の通信形式で中継する中継ステップと、を有する、
ことを特徴とするサービス提供方法。
（付記１１）
前記所定の通信処理は、前記通信サービスに係る所定の規格の接続手順に準拠した所定のデータを前記電子機器と送受信して前記電子機器を前記所定の規格に対応するネットワークに接続し、前記ネットワークと前記電子機器間を流れる前記通信サービスに係るデータを中継する処理である、
ことを特徴とする付記１０に記載のサービス提供方法。
（付記１２）
前記所定の通信処理は、接続するインターネットから受信したデータに対してウイルスチェックを行い、問題のなかったデータを、前記宅内機器を介して前記電子機器に送信する、
ことを特徴とする付記１０乃至１１のいずれか１項に記載のサービス提供方法。
（付記１３）
前記制御ステップは、取得ステップと、送信ステップと、を有し、
前記取得ステップは、異なる通信サービスに対応する所定のカードが前記宅内装置の挿入部に挿入されたとき、前記カード各々から前記通信サービスに係る識別情報を取得し、
前記送信ステップは、前記取得ステップにて取得した前記識別情報各々を前記サービス提供装置に送信する、
ことを特徴とする付記１０乃至１２のいずれか１項に記載のサービス提供方法。
（付記１４）
前記送信ステップにおいては、前記取得ステップにて取得した前記識別情報各々を所定の１メッセージに相乗りさせて送信し、
前記起動ステップにおいては、受信したメッセージから抽出した前記識別情報毎に、対応する前記提供機能部に前記起動信号を出力する、
ことを特徴とする付記１３に記載のサービス提供方法。
（付記１５）
前記所定の通信処理は、前記電子機器から受信したデータに対しＮＡＴ（Ｎｅｔｗｏｒｋ  Ａｄｄｒｅｓｓ  Ｔｒａｎｓｌａｔｉｏｎ）変換を行ったデータを、接続する前記インターネットに送信する、
ことを特徴とする付記５乃至７のいずれか１項に記載のサービス提供装置。
（付記１６）
前記所定の通信処理は、接続するインターネットから受信したデータに対してウイルスチェックを行い、問題のなかったデータを、前記宅内機器を介して前記電子機器に送信する、
ことを特徴とする付記４乃至８のいずれか１項に記載のサービス提供装置。
（付記１７）
前記メッセージは、ＴＲ−０６９（Ｔｅｃｎｉｃａｌ  Ｒｅｐｏｒｔ  ０６９）  Ｉｎｆｏｒｍ  Ｍｅｓｓａｇｅである、
ことを特徴とする付記３に記載の宅内装置。
【符号の説明】
【０２０５】
１、５０    宅内装置
２、６０    サービス提供装置
３    情報管理装置
４    宅内機器管理装置
５    ネットワーク
６    インターネット
７    ３Ｇ（３ｒｄ  Ｇｅｎｅｒａｔｉｏｎ）ネットワーク
８    ＰＣ（Ｐｅｒｓｏｎａｌ  Ｃｏｍｐｕｔｅｒ）
９    携帯電話
１０＿１、１０＿２、１０＿３    挿入部
１１    取得部
１２    送信部
２０    振分部
２１    無線ＬＡＮ通信サービス提供機能部
２２    モバイル通信サービス提供機能部
２３    インターネットサービス提供機能部
５１    制御部
５２    中継部
６１    起動部
６２、６３    提供機能部
７０    電子機器
１０１、１０２、１０３    サービスモジュール
【図１】
2016181854.tif 000003
【図２】
2016181854.tif 000004
【図３】
2016181854.tif 000005
【図４】
2016181854.tif 000006
【図５】
2016181854.tif 000007
【図６】
2016181854.tif 000008
【図７】
2016181854.tif 000009
【図８】
2016181854.tif 000010
【図９】
2016181854.tif 000011